(57)【要約】【課題】野菜の種を所定間隔で配列した種付きテープ部材を栽培用に配置し易くし、生育した野菜の取り外しも簡単で、栽培効率を向上させる。【解決手段】水耕栽培用支持具２３は、細長い長尺状の支持具本体２５を主体として形成する。支持具本体２５は、凹状の収納溝２７を有し、この収納溝２７を形成する底片２９ｃには、種付きテープ部材３７に配列した種３５の配置間隔に合わせた複数の貫通孔２７を設ける。支持具本体２５の収納溝２７には、種付きテープ部材３７を種３５と収納溝２７が揃うように収納し、貯水槽４３の水溶液４１を種付きテープ部材３７にしみ込ませてチンゲン菜４５を生育させる。【選択図】  図２
2004208649.tif 000002
【特許請求の範囲】
【請求項１】
栽培用水溶液を溜める貯水槽上に配置される長尺状の支持具本体であって、水耕栽培する種を細長いテープ材に所定の間隔で配列した種付きテープ部材が保持される凹状の収納溝をその長手方向に沿って有する支持具本体と、
この支持具本体における前記収納溝の底部に、前記種付きテープ部材の前記種の配列間隔に対応した間隔で貫通形成された複数の貫通孔と、
を具備することを特徴とする水耕栽培用支持具。
【請求項２】
前記支持具本体は、前記収納溝における長手方向の少なくとも片側端部に、前記種付きテープ部材を係止する係止部を設けてなる請求項１記載の水耕栽培用支持具。
【請求項３】
前記支持具本体は、前記収納溝を形成する対向片内側に前記種付きテープ部材の浮きを抑える突部を突設させてなる請求項１又は２記載の水耕栽培用支持具。
【請求項４】
前記支持具本体は細長い凹状の外形形状を有し、
前記栽培用水溶液を溜める貯水槽上に配置される保持板であって、当該上表面側に所定の間隔で形成され前記支持具本体のはまる複数の凹溝と、前記貫通孔に対応して貫通形成された複数の水流孔と、前記凹溝内にて前記水流孔の近傍にこれに向けて形成され散水による水流を当該水流孔に導く斜路とを有する保持板を具備する請求項１、２又は３記載の水耕栽培用支持具。
【請求項５】
細長いテープ材に種を所定の間隔で配列した種付きテープ部材を用意する工程と、
長尺状の支持具本体に凹状の収納溝をその長手方向に沿って設けるとともに、前記収納溝の底部に前記種付きテープ部材の前記種の配列間隔に対応した間隔で貫通形成された複数の貫通孔を有する水耕栽培用支持具を用意する工程と、
前記種を前記貫通孔に揃えるようにして前記種付きテープ部材を前記水耕栽培用支持具の収納溝に収納する工程と、
前記種付きテープ部材の収納された前記水耕栽培用支持具を、栽培用水溶液を溜める貯水槽上に配置し、前記種付きテープ部材に前記水溶液をしみ込ませる工程と、
を具備することを特徴とする水耕栽培用支持具を用いた水耕栽培方法。
【請求項６】
前記水耕栽培用支持具の収納溝に収納した前記種付きテープ部材の端部を、前記貯水槽に垂らして当該種付きテープ部材に前記水溶液をしみ込ませるものである請求項５記載の水耕栽培用支持具を用いた水耕栽培方法。
【発明の詳細な説明】
【０００１】
【発明の属する技術分野】
本発明は水耕栽培用支持具及びこれを用いた水耕栽培方法に係り、特に、「チンゲン菜」や「サラダ菜」などのように、１個の種から１株が発芽生育する野菜の水耕栽培に好適する水耕栽培用支持具及び水耕栽培方法に関する。
【０００２】
【従来の技術】
水耕栽培は、植物の根を直接水溶液中に浸して栽培する手法であり、水さえあれば農耕に不適当な地域でも栽培が可能であるし、連作も容易である。
【０００３】
従来、この種の水耕栽培は、次のような手法によって行われていた。
すなわち、図１６に示すように、スポンジ板１に数ｃｍの間隔で「＋」状の切れ目３を縦横碁盤の目のように入れてブロック状の培地５を連結した状態で形成し、それら各培地５の上表面側に窪み７を設けるとともに窪み７から下側まで切れ込み９を設け、それら各窪み７に例えばチンゲン菜の種１１を置く。
【０００４】
そして、図１７（一部断面省略。）に示すように、肥料を溶かした水溶液（培養液）１３の溜められた貯水槽１５にそのスポンジ板１を浮かせ、培地５の窪み７に置かれた種１１から切れ込み９に沿って根２１ａを発芽させ、水溶液１３中に延ばす。
【０００５】
その後、スポンジ板１から個々の培地５を切り離し、図１８に示すように、発泡スチロール樹脂製の支持板１７に所定の間隔で貫通形成された貫通孔１９にそれら培地５をはめ込み、上述した貯水槽１５又は水耕栽培用の適当な貯水槽にその支持板１７を浮かべるか、又は根２１ａを水溶液１３に浸漬した状態で適当に支持させ、例えばビニールハウス内で所定期間栽培する。
【０００６】
そして、チンゲン菜２１が食用に適した状態に生育したとき、支持板１７からスポンジの培地５を抜き取るとともに培地５に絡まった根１５を根元で切断し、出荷している。
【０００７】
【発明が解決しようとする課題】
しかしながら、上述した水耕栽培の手法では、予め、スポンジ板１に形成された培地５にチンゲン菜の種１１を置いて発芽させてから個々の培地５を切り離した後、これらを支持板１７の貫通孔１９に１個ずつはめ込んでいた。
【０００８】
そのため、スポンジ板１から培地５を分離する作業のみならず、発芽したチンゲン菜２１の付いた個々の培地５を支持板１７の貫通孔１９に１個ずつはめ込む作業が極めて煩雑かつ面倒で、作業性が向上せず、水耕栽培の生産性の利点を発揮し難かった。
【０００９】
さらに、生育したチンゲン菜２１を出荷する場合も、支持板１７から一々培地５を抜き取るとともに、培地５に絡み付いた根２１ａを１個ずつチンゲン菜２１から切断する煩雑かつ面倒な作業があるので、やはり作業性が向上しない。
【００１０】
さらにまた、根２１ａの絡み付いたスポンジ製培地５を破棄する必要もあり、環境保全の観点から改良すべき余地があった。
【００１１】
そこで、本発明者は、最近、不織布などのテープ材に種を所定の間隔で保持させた状態で供給され始めた点に着目し、本発明を完成させた。
【００１２】
本発明はそのような状況の下になされたもので、野菜の種を所定間隔で配列した種付きテープ部材を水耕栽培用に配置し易くし、生育した植物の取り外しも容易で、栽培効率が良好な水耕栽培用支持具及び水耕栽培方法を提供するものである。
【００１３】
【課題を解決するための手段】
このような課題を解決するために本発明に係る水耕栽培用支持具は、栽培用水溶液を溜める貯水槽上に配置される長尺状の支持具本体であって、水耕栽培する種を細長いテープ材に所定の間隔で配列した種付きテープ部材が保持される凹状の収納溝をその長手方向に沿って有する支持具本体と、この支持具本体における収納溝の底部にその種の配列間隔に対応させて貫通形成された複数の貫通孔とを具備して構成されている。
【００１４】
そして、本発明において、上記支持具本体には、その収納溝における長手方向の少なくとも片側端部に上記種付きテープ部材を係止する係止部などの動き抑え部を設けると良い。
【００１５】
また、本発明において、上記支持具本体には、その収納溝を形成する対向片内側に上記種付きテープ部材の浮きを抑える突部などの動き抑え部を突設させることが可能である。
【００１６】
さらに、本発明では、上記支持具本体を細長い凹状の外形形状にするとともに、その支持具本体に加え、栽培用水溶液を溜める貯水槽上に配置される保持板であって、当該上表面側に所定の間隔で形成され上記支持具本体のはまる複数の凹溝と、この凹溝内においてその貫通孔に対応して貫通形成された複数の水流孔と、この水流孔の近傍にこれに向けて散水による水流を当該水流孔に導く斜路とを有する保持板を具備する構成も可能である。
【００１７】
そして、本発明に係る水耕栽培方法は、細長いテープ材に種を所定の間隔で配列した種付きテープ部材を用意する工程と、長尺状の支持具本体に凹状の収納溝をその長手方向に沿って設けるとともに、その収納溝の底部にその種の配列間隔に対応させて貫通形成された複数の貫通孔を有する水耕栽培用支持具を用意する工程と、その種を貫通孔に揃えるようにしてその種付きテープ部材を上記水耕栽培用支持具の収納溝に収納する工程と、その種付きテープ部材の収納された水耕栽培用支持具を栽培用水溶液を溜める貯水槽上に配置し、その種付きテープ部材に水溶液をしみ込ませる工程とを具備している。
【００１８】
そして、本発明に係る水耕栽培方法では、上記水耕栽培用支持具の収納溝に収納したその種付きテープ部材の端部を上記貯水槽に垂らし、当該種付きテープ部材にその水溶液をしみ込ませる構成も可能である。
【００１９】
【発明の実施の形態】
以下本発明の実施の形態を図面を参照して説明する。
【００２０】
図１、図２および図３は、本発明に係る水耕栽培用支持具の実施の形態を示す斜視図、縦断面図および横断面図である。なお、本発明に係る水耕栽培方法については、水耕栽培用支持具の使用例を説明する過程で示す。
【００２１】
図１〜図３において、水耕栽培用支持具２３の主体をなす細長い長尺状の支持具本体２５は、耐水性が良好で水に浮き易い例えば合成樹脂材料から外形凹状又はさや状に成形されてなり、長手方向に沿って凹状の収納溝２７を有している。
【００２２】
すなわち、支持具本体２５の収納溝２７は、対向する対向片２９ａ、２９ｂと、これを連結する底片２９ｃから形成されている。
【００２３】
支持具本体２５には、収納溝２７の底片２９ｃにおいて、内外を貫通する大径の貫通孔３１がその長手方向に沿って所定の間隔で形成され、水耕栽培用支持具２３が構成されている。
【００２４】
支持具本体２５に形成された貫通孔３１は、図４Ａの縦断面図および同図Ｂの斜視図に示すように、公知の目の粗い不織布テープ３３ａ、３３ｂを互いに重ねて止着するとともに、それら不織布テープ３３ａ、３３ｂの間にチンゲン菜の種３５を一定の等間隔又はこれに近い間隔で挟むようにして配置されてなる種付きテープ部材３７に対し、その種３５の配置間隔にほぼ揃えて形成されている。
【００２５】
貫通孔３１は、底片２９ｃの幅より少し幅が狭く、種３５に対して極めて大径に形成され、後述するように、底片２９に種付きテープ部材３７を置いたときに、貫通孔３１内領域に種３５が簡単に位置するようになっている。
【００２６】
支持具本体２５の収納溝２７内の幅Ｔは、種付きテープ部材３７の幅ｔより若干幅広に形成され、収納溝２７の長手方向に沿って種付きテープ部材３７が収納溝２７内に楽に収まって不織布テープ３３ａか３３ｂが重なるようになっている。
【００２７】
次に、このように構成された本発明に係る水耕栽培用支持具の使用例を説明する。
【００２８】
まず、図４に示すように、不織布テープ３３ａ、３３ｂの間に一定間隔で例えばチンゲン菜の種３５を挟むように保持した種付きテープ部材３７を用意し、これを支持具本体２５より長く切り、図２に示すように、支持具本体２５の収納溝２７内に収納する。
【００２９】
その際、種付きテープ部材３７は、種３５が収納溝２７にある程度揃うようにして収納し、その両端３７ａを支持具本体２５の両端から垂らす。
【００３０】
そして、図５に示すように、パイプ３９を置くとともに公知の水耕栽培用肥料が溶けた水溶液４１をパイプ３９が隠れない程度に溜めた貯水槽４３に対し、水耕栽培用支持具２３をパイプ３９に載置するとともに、種付きテープ部材３７の両端３７ａのみを水溶液４１に浸ける。
【００３１】
実際には、多数の水耕栽培用支持具２３をパイプ３９上に平行に置いて量産性を確保可能である。
【００３２】
この状態で放置すると、貯水槽４３の水溶液４１が、水耕栽培用支持具２３の収納溝２７内における種付きテープ部材３７にしみ込んで種３５が発芽する。なお、上から適当に散水することも可能である。
【００３３】
そして、図６に示すように、チンゲン菜４５が適当に生育したら、水耕栽培用支持具２３から生育したチンゲン菜４５を根元で切り取れば、製品として出荷できる。図中符号４５ａはチンゲン菜４５の葉、符号４５ｂは根である。
【００３４】
チンゲン菜４５を切断した後の種付きテープ部材３７は、これが自然の紙繊維や腐食し易い繊維質で形成されていれば、生ゴミとしてそのまま処分可能である。
【００３５】
このように本発明の水耕栽培用支持具２３は、細長い長尺状の支持具本体２５に、その長手方向に沿って凹状の収納溝２７を設け、この収納溝２７を形成する底片２９ｃには、内外を貫通する複数の貫通孔３１を貫通形成するとともに、種付きテープ部材３７に配列された種３５の配置間隔に合わせてその貫通孔２７を配置してなるから、種付きテープ部材３７を支持具本体２５の収納溝２７内に、種３５と収納溝２７に揃うようにして収納し、貯水槽４３の水溶液４１を種付きテープ部材３７にしみ込ませれば、種３５が発芽して例えばチンゲン菜４５を生育させることができる。
【００３６】
しかも、支持具本体２５の収納溝２７内に種付きテープ部材３７を上から嵌めて収納し、単に、種３５と収納溝２７を合わせれば良いから、種付きテープ部材３７の収納作業が簡単で、作業性が良好である。
【００３７】
さらに、生育した複数のチンゲン菜４５を水耕栽培用支持具２３から一度に切り取り易く、収納作業が簡単であり、この点からも作業性が良好である。
【００３８】
支持具本体２５に収納した種付きテープ部材３７の端部３７ａを貯水槽４３に垂らして水溶液４１をしみ込ませるので、種付きテープ部材３７が適度に湿潤して種が腐り難く、栽培効率が良好となる。
【００３９】
ところで、種付きテープ部材３７は、腰のない柔らかいものであるから、支持具本体２５の収納溝２７内に収納しても、種付きテープ部材３７がずれたり動き易きくなって種３５と収納溝２７の位置がずれる心配があるし、図８の一点鎖線で示すように、斜めに収納されたり暴れた状態となるおそれもある。
【００４０】
そこで、図７に示すように、支持具本体２５の収納溝２７において、その長手方向の両端部に、底片２９ｃの下面からピン４７を収納溝２７内へ突出させると、種付きテープ部材３７をピン４７に係止させて仮固定することが可能となり、種付きテープ部材３７がずれや動きを抑え、種付きテープ部材３７の収納作業が簡単で、作業性がより良好となる。
【００４１】
ピン４７はこれに限定されず、支持具本体２５の収納溝２７内に突出させる支持具本体２５とは別個又は一体的な係止部材などの動き抑え部であれば本発明の目的達成が可能であるし、その収納溝２７の両端部に限らず、少なくとも片端部に設ければ良い。
【００４２】
さらに、図７および図８に示すように、水耕栽培用支持具２３の収納溝２７を形成する対向片２９ａ、２９ｂの内側に、突条４９を僅かな間隔を置いて収納溝２７の長手方向に沿って２個ずつ突設させれば、種付きテープ部材３７が浮き上がったり暴れ難くなり、種付きテープ部材３７の収納作業が簡単で、更に、作業性が良好となる。
【００４３】
この突条４９もこの形状に限らず、種付きテープ部材３７の浮きを抑える複数のボス（突起）その他の突部などの動き抑え部を突設させれば、本発明の目的達成が可能であるし、少なくとも対向片２９ａ、２９ｂの片側に設けても良い。
【００４４】
このような本発明の水耕栽培用支持具２３でチンゲン菜４５などの生育が可能であるが、多数の支持具本体２５を使用してより効率の良い生産性を確保するために、以下に本発明の応用例を説明する。
【００４５】
図９および図１０は、上述した支持具本体２５とともに本発明の水耕栽培用支持具５１を形成する保持板５３を示す平面図（図９Ａ）、断面図（図９Ｂ）および斜視図である。
【００４６】
図９および図１０において、方形の保持板５３は、耐水性が良好で水に浮き易い例えば発泡スチロール樹脂製板からなり、一方の主面側（本発明では上表面側とする。）には所定の間隔で平行に形成された複数の凹溝５５を有している。
【００４７】
各凹溝５５は、上述した外形凹条の支持具本体２５の幅寸法Ｔ’（図３参照）より僅かに幅広の幅Ｐを有し、１個ずつ支持具本体２５がはまるようになっている。
【００４８】
保持板５３の各凹溝５５には、図１１に示すように、上表面側から下表面側に貫通する水流孔５７がその長手方向に沿い、支持具本体２５の貫通孔３１と同じ間隔又は近い間隔で形成されるとともに、各水流孔５７間の中程を高くして両水流孔５７に向けた下り傾斜の斜路５９が形成されている。
【００４９】
すなわち、各凹溝５５の底面は、各水流孔５７部分を低部とし各水流孔５７間中程を高部とした波形又はのこぎり歯状の斜路５９となっている。
【００５０】
そのため、保持板５３の各凹溝５５に支持具本体２５をはめた状態では、図１２に示すように、支持具本体２５の貫通孔３１近傍では、各水流孔５７との間で、斜路５９が若干の空隙を形成するようになっている。
【００５１】
このような、支持具本体２５と保持板５３を用いた水耕栽培方法では、図６に示したように、チンゲン菜４５の葉４５ａを出させた支持具本体２５を、図１３に示すように、保持板５３の各凹溝５５にはめて行う。
【００５２】
その際、チンゲン菜４５の根４５ｂを保持板５３の各水流孔５７の近傍に位置するように置くと良い。
【００５３】
そして、図１４（一部側面で示す。）に示すように、上述した水溶液４１をはった貯水槽４３に保持板５３をこの下表面を浸けるように浮かせるか、又はその貯水槽４３の段部（図示せず。）に支持させる。
【００５４】
その後、図１５に示すように、散水装置６１によって保持板５３の上表面側から散水する。
【００５５】
すると、この散水によって支持具本体２５および保持板５３に掛けられた水のうち各凹溝５５に流れ込んだ水は、各凹溝５５内にて支持具本体２５下の斜路２９を各水流孔５７へ向けた水流となって各水流孔５７へ流れ込む。
【００５６】
その水が各水流孔５７へ流れ込む過程で、図１２の破線で示すように、根４５ｂがその水流によって各水流孔５７へ流されるようにして自動的に導かれ、水溶液４１中へ垂れ下がり、その後は貯水槽４３のからの水養分によって延びるとともにチンゲン菜４５を大きく生育させることができる。
【００５７】
なお、散水は、根４５ｂが各水流孔５７に入れば良いから、水量にもよるが短時間、例えば２０〜３０分程度で良い。
【００５８】
その後、チンゲン菜４５が製品化に適した状態に生育したら、支持具本体２５を外し、上述したように支持具本体２３からチンゲン菜４５を一度に切り取れば製品化される。
【００５９】
保持板５３の各水流孔５７は、根４５ｂよりはるかに大径で遊びをもってはまっているから、支持具本体２５を持ち上げるだけで、チンゲン菜４５や根４５ｂを付けたまま簡単に取り外せる。
【００６０】
しかも、支持具本体２５に収納した種付きテープ部材３７の端部３７ａを貯水槽４３に垂らして水溶液４１をしみ込ませるので、上述したように種付きテープ部材３７の種３５が腐り難い。
【００６１】
また、上述した種付きテープ部材３７の形状は、糸（ひも）状の細い長尺体も含むものである。
【００６２】
【発明の効果】
以上、説明したように本発明に係る水耕栽培用支持具は、種付きテープ部材が保持される凹状の収納溝をその長手方向に沿って有する長尺状の支持具本体と、この支持具本体の収納溝底部にその種の配列間隔に対応させて貫通形成された複数の貫通孔とを具備したから、種付きテープ部材を収納し易いうえ、発芽した多数の植物を栽培用水溶液の貯水槽上に配置し易く、生育した植物の取り外しも容易で、栽培効率や生産性が向上する。
そして、その収納溝の少なくとも片側端部に上記種付きテープ部材を係止する係止部を上記支持具本体に設ける構成では、種付きテープ部材の位置決めや載置が容易で、栽培効率や生産性がより向上する。
また、上記収納溝を形成する対向片内側に上記種付きテープ部材の浮きを抑える突部を支持具本体に突設させる構成でも、種付きテープ部材の位置決めや載置が容易で、栽培効率や生産性がより向上する。
さらに、上記支持具本体を細長い凹状の外形形状に形成するとともに、その支持具本体に加え、栽培用水溶液を溜める貯水槽上に配置される保持板であって、上記支持具本体のはまる凹溝と、この凹溝内に貫通孔に対応して貫通形成された複数の水流孔と、この水流孔の近傍に水流を当該水流孔に導く斜路とを有する保持板を具備する構成では、上述した効果に加え、多数の支持具本体を使用してより効率の良い生産性を確保できる。
また、本発明に係る水耕栽培方法は、種付きテープ部材を用意する工程と、長尺状の支持具本体に凹状の収納溝をその長手方向に沿って設けるとともに、その収納溝の底部にその種の配列間隔に応じて貫通形成した複数の貫通孔を有する水耕栽培用支持具を用意する工程と、その種を貫通孔に揃えるようにしてその種付きテープ部材を上記水耕栽培用支持具の収納溝に収納する工程と、その種付きテープ部材の収納された水耕栽培用支持具を貯水槽上に配置し、その種付きテープ部材に栽培用水溶液をしみ込ませる工程とを有するから、種付きテープ部材の支持や配置が容易となるし、貯水槽上に配置し易くなるうえ、生育した植物の取り外しも容易となり、栽培効率や生産性が向上する。
そして、上記水耕栽培用支持具の収納溝に収納したその種付きテープ部材の端部を上記貯水槽に垂らした水溶液をしみ込ませる生育方法では、種付きテープ部材が適度に湿潤して種が腐り難く、栽培効率や生産性が一層確実に向上する。
【図面の簡単な説明】
【図１】本発明に係る水耕栽培用支持具の実施の形態を示す斜視図である。
【図２】図１の水耕栽培用支持具の縦断面図（図１中のＩＩ−ＩＩ間断面）である。
【図３】図１の水耕栽培用支持具の横面図（図２中のＩＩＩ−ＩＩＩ間断面）である。
【図４】本発明に係る水耕栽培用支持具や方法で用いる種付きテープ部材を示す縦断面図Ａおよび斜視図Ｂである。
【図５】本発明に係る水耕栽培方法を説明する工程図である。
【図６】本発明に係る水耕栽培方法を説明する工程図である。
【図７】本発明に係る水耕栽培用支持具の他の構成を示す縦断面図である。
【図８】本発明に係る水耕栽培用支持具の他の構成を示す横断面図である。
【図９】本発明に係る水耕栽培用支持具の他の構成に用いる保持板を示す平面図（Ａ）および断面図（図９Ａ中のＢ−Ｂ間断面）である。
【図１０】図９の保持板を示す斜視図である。
【図１１】図９の保持板の要部を示す部分断面図（図９中のＸＩ−ＸＩ間断面）である。
【図１２】本発明に係る水耕栽培方法を説明する工程図である。
【図１３】本発明に係る水耕栽培方法を説明する工程図である。
【図１４】本発明に係る水耕栽培方法を説明する工程図である。
【図１５】本発明に係る水耕栽培方法を説明する工程図である。
【図１６】従来の水耕栽培方法を説明する工程図である。
【図１７】従来の水耕栽培方法を説明する工程図である。
【図１８】従来の係る水耕栽培方法を説明する工程図である。
【符号の説明】
１  スポンジ板
３  切れ目
５  培地
７  窪み
９  切れ込み
１１、３５  種
１３、４１  水溶液
１５、４３  貯水槽
１７  支持板
１９、２７  貫通孔
２１、４５  チンゲン菜（野菜、植物）
２１ａ、４５ｂ  根
２３、５１  水耕栽培用支持具
２５  支持具本体
２７  収納溝
２９ａ、２９ｂ  対向片
２９ｃ  底片
３１  貫通孔
３３ａ、３３ｂ  不織布テープ
３７  種付きテープ部材
３９  パイプ
４５ａ  葉
４７  ピン（係止部、動き抑え部））
４９  突条（動き抑え部）
５３  保持板
５５  凹溝
５７  水流孔
５９  斜路
６１  散水装置
【図１】
2004208649.tif 000003
【図２】
2004208649.tif 000004
【図３】
2004208649.tif 000005
【図４】
2004208649.tif 000006
【図５】
2004208649.tif 000007
【図６】
2004208649.tif 000008
【図７】
2004208649.tif 000009
【図８】
2004208649.tif 000010
【図９】
2004208649.tif 000011
【図１０】
2004208649.tif 000012
【図１１】
2004208649.tif 000013
【図１２】
2004208649.tif 000014
【図１３】
2004208649.tif 000015
【図１４】
2004208649.tif 000016
【図１５】
2004208649.tif 000017
【図１６】
2004208649.tif 000018
【図１７】
2004208649.tif 000019
【図１８】
2004208649.tif 000020